(57)【要約】【課題】負荷を選択的に遅動または即動できる近接スイッチ装置および照明制御システムを提供する。【解決手段】近接スイッチ装置１は、赤外線送信手段１５から放射されて物体により反射された反射赤外線を検知する赤外線受信手段１７と、連続する前記反射赤外線の検知時間を計時する計時手段１３ａと、赤外線受信手段１７により前記反射赤外線が検知される毎に負荷１０のオンオフを反転制御するとともに、負荷１０がオン状態のときに計時手段１３ａにより計時された前記検知時間に応じて負荷１０を遅延させてオフさせ、または負荷１９を即時にオフさせるように制御する負荷制御手段１３，１９とを具備している。【選択図】図３
2007048630.tif 000002
【特許請求の範囲】
【請求項１】
人体を検知する検知手段と；
検知手段が連続的に人体を検知している検知時間を計時する計時手段または検知手段が人体を断続して検知している検知回数を計数する計数手段の少なくともいずれか一方を有する積算手段と；
前記検知時間または前記検知回数の少なくとも一方に応じて負荷を制御する負荷制御手段と；
を具備していることを特徴とする近接スイッチ装置。
【請求項２】
赤外線を放射させる赤外線送信手段と；
前記赤外線が物体により反射された反射赤外線を検知する赤外線受信手段と；
連続する前記反射赤外線の検知時間を計時する計時手段と；
赤外線受信手段により前記反射赤外線が検知される毎に負荷のオンオフを反転制御するとともに、負荷がオン状態のときに計時手段により計時された前記検知時間に応じて負荷を遅延させてオフさせ、または負荷を即時にオフさせるように制御する負荷制御手段と；
を具備していることを特徴とする近接スイッチ装置。
【請求項３】
赤外線を放射させる赤外線送信手段と；
前記赤外線が物体により反射された反射赤外線を検知する赤外線受信手段と；
所定時間内の断続する前記反射赤外線の検知回数を計数する計数手段と；
赤外線受信手段により前記反射赤外線が検知される毎に負荷のオンオフを反転制御するとともに、負荷がオン状態のときに計数手段により計数された前記検知回数に応じて負荷を遅延させてオフさせ、または負荷を即時にオフさせるように制御する負荷制御手段と；
を具備していることを特徴とする近接スイッチ装置。
【請求項４】
負荷制御手段は、負荷のオフを遅延させている期間に赤外線受信手段により前記反射赤外線が検知されると、負荷を遅延させてオフさせる制御を解除することを特徴とする請求項２または３記載の近接スイッチ装置。
【請求項５】
赤外線を放射させる赤外線送信手段と；
前記赤外線が物体により反射された反射赤外線を検知する赤外線受信手段と；
連続する前記反射赤外線の検知時間を計時する計時手段と；
赤外線受信手段により前記反射赤外線が検知されたときに所定の保持時間に亘って負荷をオン制御するとともに、負荷がオン状態のときに赤外線受信手段により前記反射赤外線が検知されたとき、計時手段により計時された前記検知時間に応じて当該検知時点より再び前記保持時間に亘って負荷をオン制御させ、または負荷を即時にオフさせるように制御する負荷制御手段と；
を具備していることを特徴とする近接スイッチ装置。
【請求項６】
赤外線を放射させる赤外線送信手段と；
前記赤外線が物体により反射された反射赤外線を検知する赤外線受信手段と；
所定時間内の断続する前記反射赤外線の検知回数を計数する計数手段と；
赤外線受信手段により前記反射赤外線が検知されたときに所定の保持時間に亘って負荷をオン制御するとともに、負荷がオン状態のときに赤外線受信手段により前記反射赤外線が検知されたとき、計数手段により計数された前記検知回数に応じて当該検知時点より再び前記保持時間に亘って負荷をオン制御させ、または負荷を即時にオフさせるように制御する負荷制御手段と；
を具備していることを特徴とする近接スイッチ装置。
【請求項７】
赤外線を放射させる赤外線送信手段と；
前記赤外線が物体により反射された反射赤外線を検知する赤外線受信手段と；
連続する前記反射赤外線の検知時間を計時する計時手段と；
計時手段により計時された前記検知時間に応じて負荷のオンオフを反転制御させ、または負荷の消費電力を調整制御するように制御する負荷制御手段と；
を具備していることを特徴とする近接スイッチ装置。
【請求項８】
赤外線を放射させる赤外線送信手段と；
前記赤外線が物体により反射された反射赤外線を検知する赤外線受信手段と；
所定時間内の断続する前記反射赤外線の検知回数を計数する計数手段と；
計数手段により計数された前記検知回数に応じて負荷のオンオフを反転制御させ、または負荷の消費電力を調整制御するように制御する負荷制御手段と；
を具備していることを特徴とする近接スイッチ装置。
【請求項９】
請求項１ないし８いずれか一記載の近接スイッチ装置と；
この近接スイッチ装置によりオンオフ制御される照明負荷およびこの照明負荷を配設している器具本体を有してなる照明装置と；
を具備していることを特徴とする照明制御システム。
【発明の詳細な説明】
【技術分野】
【０００１】
本発明は、スイッチに近接することで負荷のオンオフ操作が可能な近接スイッチ装置およびこの近接スイッチ装置を具備する照明制御システムに関する。
【背景技術】
【０００２】
近年、非接触で照明負荷を点灯または消灯することのできる非接触スイッチ装置が提案されている。例えば人感センサ部の近傍に手をかざすことで人（手）の存在または動きを検知して、リレー部がオンまたはオフし、照明負荷を点灯または消灯させる非接触スイッチ装置が提案されている（特許文献１参照。）。ここで、人感センサ部は、焦電型赤外線センサからなり、手などの人体から放射される赤外線を検知している。
【０００３】
また、赤外線発光素子から放射された赤外線を指や手などで反射させて赤外線受光素子で検出することにより、非接触で、例えば照明負荷の点灯と消灯の操作を行う近接スイッチ装置が提案されている。例えば、液晶表示素子からなる表示パネル部を備え、この表示パネル部の下方に位置する赤外線発光素子と赤外線受光素子とから構成された近接スイッチ装置（操作スイッチ）が提案されている（特許文献２参照。）。
【特許文献１】特開２００２−１００２６８号公報（第３頁、第１図）
【特許文献２】特開２００２−１９０２４０号公報（第２頁、第１図）
【発明の開示】
【発明が解決しようとする課題】
【０００４】
特許文献１の非接触スイッチ装置および特許文献２の近接スイッチ装置は、指や手などを検知させる毎に照明負荷が点灯または消灯されるものであり、照明負荷の制御が限定的である。すなわち、例えば照明負荷の動作を遅動させ、または即動させることを選択的に設定することができないものである。
【０００５】
なお、従来、人感センサ付きスイッチ装置においては、例えば特開２００５−９３３８８号公報に示すように、人感センサが人を検出すると照明負荷を点灯させ、人感センサが人を検出しなくなってから所定時間後に照明負荷を消灯することが行われている。この従来技術のスイッチ装置は、照明負荷の消灯を選択的に遅動または即動させないものである。
【０００６】
本発明は、負荷を選択的に遅動または即動できる近接スイッチ装置および照明制御システムを提供することを目的とする。
【課題を解決するための手段】
【０００７】
請求項１に記載の近接スイッチ装置の発明は、人体を検知する検知手段と；検知手段が連続的に人体を検知している検知時間を計時する計時手段または検知手段が人体を断続して検知している検知回数を計数する計数手段の少なくともいずれか一方を有する積算手段と；前記検知時間または前記検知回数の少なくとも一方に応じて負荷を制御する負荷制御手段と；を具備していることを特徴とする。
【０００８】
本発明および以下の各発明において、特に言及しない限り、各構成は以下による。
【０００９】
検知手段は、例えば人体から放射される赤外線、人体および人体の周囲の赤外線の変化、あるいは放射した赤外線や超音波などの人体からの反射を検出することなどにより、人体の存在または動きを検知することができる。
【００１０】
負荷は、照明用ランプ、換気扇など、電力を消費するものであればよい。
【００１１】
「負荷を制御する」とは、例えば負荷をオンまたはオフすること、負荷の消費電力を調整することをいう。
【００１２】
本発明によれば、検知手段に指や手などの人体を近接してかざすと、検知手段により人体が検知され、計時手段により連続的に人体を検知する検知時間が計時される。そして、負荷は、負荷制御手段により当該検知時間に応じた動作に制御される。
【００１３】
また、検知手段に指や手などの人体を近接してかざすことを一定時間内で繰り返すと、検知手段により人体をかざしているときに人体が検知され、計数手段により人体を断続して検知する検知回数が計数される。そして、負荷は、負荷制御手段により当該検知回数に応じた動作に制御される。
【００１４】
請求項２に記載の近接スイッチ装置の発明は、赤外線を放射させる赤外線送信手段と；前記赤外線が物体により反射された反射赤外線を検知する赤外線受信手段と；連続する前記反射赤外線の検知時間を計時する計時手段と；赤外線受信手段により前記反射赤外線が検知される毎に負荷のオンオフを反転制御するとともに、負荷がオン状態のときに計時手段により計時された前記検知時間に応じて負荷を遅延させてオフさせ、または負荷を即時にオフさせるように制御する負荷制御手段と；を具備していることを特徴とする。
【００１５】
「連続する反射赤外線」とは、赤外線送信手段から放射された赤外線が連続的に物体により反射されている反射赤外線を意味する。
【００１６】
「物体」とは、指、手などの人体に限らず、例えば金属からなる板や棒など、赤外線を反射するものであればよい。
【００１７】
負荷は、照明用ランプ、換気扇など、電力を消費するものであればよい。
【００１８】
「赤外線受信手段により反射赤外線が検知される毎に」とは、反射赤外線が検知されていない状態から反射赤外線が検知されたときであって、連続的に反射赤外線が検知されているときは含まない。
【００１９】
「負荷のオンオフを反転制御」とは、負荷がオン状態のときはオフし、オフ状態のときはオンすることをいう。
【００２０】
負荷をオフ状態からオンさせるときは、即時にオンさせてもよく、遅延させてオンさせてもよい。
【００２１】
負荷を遅延させてオフさせる期間は、負荷の使用状況等に応じて適宜設定すればよい。
【００２２】
本発明によれば、赤外線送信手段および赤外線受信手段に指や手などの物体を近接してかざして検知させることにより、負荷は、オン状態からオフへ、またはオフ状態からオンへ反転制御される。そして、負荷がオン状態のときに、例えば計時手段により計時される検知時間が設定された設定時間内となるように赤外線送信手段および赤外線受信手段に指や手などの物体を連続的にかざして検知させることにより、負荷が遅延されてオフされ、検知時間が設定時間を超えるように赤外線送信手段および赤外線受信手段に指や手などの物体を連続的にかざして検知させることにより、負荷が即時にオフされる。
【００２３】
請求項３に記載の近接スイッチ装置の発明は、赤外線を放射させる赤外線送信手段と；前記赤外線が物体により反射された反射赤外線を検知する赤外線受信手段と；所定時間内の断続する前記反射赤外線の検知回数を計数する計数手段と；赤外線受信手段により前記反射赤外線が検知される毎に負荷のオンオフを反転制御するとともに、負荷がオン状態のときに計数手段により計数された前記検知回数に応じて負荷を遅延させてオフさせ、または負荷を即時にオフさせるように制御する負荷制御手段と；を具備していることを特徴とする。
【００２４】
所定時間は、適宜設定すればよく、例えば２〜３秒とすることができる。
【００２５】
本発明によれば、赤外線送信手段および赤外線受信手段に指や手などの物体を近接してかざして検知させることにより、負荷は、オン状態からオフへ、またはオフ状態からオンへ反転制御される。そして、負荷がオン状態のときに、例えば計数手段により計数される検知回数が設定された所定回数（例えば２回）内となるように赤外線送信手段および赤外線受信手段に指や手などの物体を所定時間内で断続してかざして検知させることにより、負荷が遅延されてオフされ、検知回数が所定回数を超えるように赤外線送信手段および赤外線受信手段に指や手などの物体を所定時間内で断続してかざして検知させることにより、負荷が即時にオフされる。
【００２６】
請求項４に記載の近接スイッチ装置の発明は、請求項２または３記載の近接スイッチ装置において、負荷制御手段は、負荷のオフを遅延させている期間に赤外線受信手段により前記反射赤外線が検知されると、負荷を遅延させてオフさせる制御を解除することを特徴とする。
【００２７】
本発明によれば、負荷のオフを遅延させている期間に、赤外線送信手段および赤外線受信手段に指や手などの物体をかざして検知させることにより、負荷を遅延させてオフさせる制御が解除される。そして、赤外線送信手段および赤外線受信手段に物体をかざす時間に応じて、負荷は、再び、オンオフ制御される。
【００２８】
請求項５に記載の近接スイッチ装置の発明は、赤外線を放射させる赤外線送信手段と；前記赤外線が物体により反射された反射赤外線を検知する赤外線受信手段と；連続する前記反射赤外線の検知時間を計時する計時手段と；赤外線受信手段により前記反射赤外線が検知されたときに所定の保持時間に亘って負荷をオン制御するとともに、負荷がオン状態のときに赤外線受信手段により前記反射赤外線が検知されたとき、計時手段により計時された前記検知時間に応じて当該検知時点より再び前記保持時間に亘って負荷をオン制御させ、または負荷を即時にオフさせるように制御する負荷制御手段と；を具備していることを特徴とする。
【００２９】
保持時間は、負荷の使用状況等に応じて適宜設定すればよい。
【００３０】
本発明によれば、負荷は、オフ状態からオンさせると、所定の保持時間に亘ってオンする。そして、負荷がオン状態のときに、設定された設定時間内となるように赤外線送信手段および赤外線受信手段に指や手などの物体を連続的にかざすと、物体により反射された反射赤外線が検知され、計時手段による反射赤外線の検知時間が設定時間内となり、負荷は、当該検知時点より再び所定の保持時間に亘ってオンされる。
【００３１】
また、負荷がオン状態のときに、設定時間を超えるように赤外線送信手段および赤外線受信手段に指や手などの物体を連続的にかざすと、物体により反射された反射赤外線が検知され、計時手段による反射赤外線の検知時間が設定時間を超えるようになり、負荷はオン状態から即時にオフされる。
【００３２】
請求項６に記載の近接スイッチ装置の発明は、赤外線を放射させる赤外線送信手段と；前記赤外線が物体により反射された反射赤外線を検知する赤外線受信手段と；所定時間内の断続する前記反射赤外線の検知回数を計数する計数手段と；赤外線受信手段により前記反射赤外線が検知されたときに所定の保持時間に亘って負荷をオン制御するとともに、負荷がオン状態のときに赤外線受信手段により前記反射赤外線が検知されたとき、計数手段により計数された前記検知回数に応じて当該検知時点より再び前記保持時間に亘って負荷をオン制御させ、または負荷を即時にオフさせるように制御する負荷制御手段と；を具備していることを特徴とする。
【００３３】
本発明によれば、負荷は、オフ状態からオンさせると、所定の保持時間に亘ってオンする。そして、負荷がオン状態のときに、例えば計数手段により計数される検知回数が設定された所定回数（例えば２回）内となるように赤外線送信手段および赤外線受信手段に指や手などの物体を所定時間内で断続してかざして検知させることにより、物体により反射された反射赤外線が検知され、計数手段による反射赤外線の検知回数が所定回数内となり、負荷は、当該検知時点より再び所定の保持時間に亘ってオンされる。
【００３４】
また、負荷がオン状態のときに、前記検知回数が前記所定回数を超えるように赤外線送信手段および赤外線受信手段に指や手などの物体を所定時間内で断続してかざして検知させることにより、計数手段による反射赤外線の検知回数が所定回数を超えるようになり、負荷はオン状態から即時にオフされる。
【００３５】
請求項７に記載の近接スイッチ装置の発明は、赤外線を放射させる赤外線送信手段と；前記赤外線が物体により反射された反射赤外線を検知する赤外線受信手段と；連続する前記反射赤外線の検知時間を計時する計時手段と；計時手段により計時された前記検知時間に応じて負荷のオンオフを反転制御させ、または負荷の消費電力を調整制御するように制御する負荷制御手段と；を具備していることを特徴とする。
【００３６】
「負荷の消費電力を調整制御する」とは、例えば負荷の消費電力を低減させることを意味する。例えば、負荷が照明用ランプであるときは、照明用ランプが調光されることを意味する。
【００３７】
本発明によれば、負荷をオフ状態からオンまたはオン状態からオフさせるときは、赤外線送信手段および赤外線受信手段に例えば設定された設定時間内となるように指や手などの物体を連続的にかざして検知させる。計時手段による反射赤外線の検知時間が設定時間内となり、負荷は、オフ状態のときはオンに、オン状態のときはオフに制御される。
【００３８】
また、負荷の消費電力を調整制御するときは、赤外線送信手段および赤外線受信手段に例えば前記設定時間を超えるように指や手などの物体を連続的にかざして検知させる。計時手段による反射赤外線の検知時間が設定時間を超えるようになり、所定時間の経過後は、例えば指や手などの物体を連続的にかざしている時間に従って負荷の消費電力が徐々に調整制御され、連続的にかざすことを止めた時点の消費電力の調整制御状態を保持する。
【００３９】
請求項８に記載の近接スイッチ装置の発明は、赤外線を放射させる赤外線送信手段と；前記赤外線が物体により反射された反射赤外線を検知する赤外線受信手段と；所定時間内の断続する前記反射赤外線の検知回数を計数する計数手段と；計数手段により計数された前記検知回数に応じて負荷のオンオフを反転制御させ、または負荷の消費電力を調整制御するように制御する負荷制御手段と；を具備していることを特徴とする。
【００４０】
本発明によれば、負荷をオフ状態からオンまたはオン状態からオフさせるときは、赤外線送信手段および赤外線受信手段に例えば設定された所定回数内となるように指や手などの物体を所定時間内で断続してかざして検知させる。計数手段による反射赤外線の検知回数が所定回数内となり、負荷は、オフ状態のときはオンに、オン状態のときはオフに制御される。
【００４１】
また、負荷の消費電力を調整制御するときは、例えば前記所定回数を超えるように指や手などの物体を所定時間内で断続してかざして検知させる。計数手段による反射赤外線の検知回数が所定回数を超えるようになり、所定時間の経過後は、例えば検知回数に従って負荷の消費電力が徐々に調整制御され、検知回数に応じた消費電力の調整制御状態を保持する。
【００４２】
請求項９に記載の照明制御システムは、請求項１ないし８いずれか一記載の近接スイッチ装置と；この近接スイッチ装置によりオンオフ制御される照明負荷およびこの照明負荷を配設している器具本体を有してなる照明装置と；を具備していることを特徴とする。
【００４３】
本発明によれば、近接スイッチ装置に指や手などの物体をかざす時間または所定時間内でのかざす回数に応じて、照明負荷をオン状態から遅延させてオフさせ、または即時にオフさせ、あるいは調光点灯させることのできる照明制御システムが提供される。
【発明の効果】
【００４４】
請求項１の発明によれば、人体を連続的に検知する検知時間または人体を断続して検知する検知回数の少なくとも一方に応じて負荷が制御されるので、検知手段に指や手などの人体を近接してかざす動作（操作）により、負荷の動作の制御を多様化させることができる。
【００４５】
請求項２の発明によれば、近接スイッチ装置は、赤外線送信手段および赤外線受信手段に指や手などの物体を連続的にかざす時間により、負荷を選択的に遅延させてオフさせ、または即時にオフさせることができるので、負荷のオフ制御を多様化することができる。
【００４６】
請求項３の発明によれば、近接スイッチ装置は、赤外線送信手段および赤外線受信手段に指や手などの物体を所定時間内で断続してかざす回数により、負荷を選択的に遅延させてオフさせ、または即時にオフさせることができるので、負荷のオフ制御を多様化することができる。
【００４７】
請求項４の発明によれば、負荷のオフを遅延させている期間に赤外線受信手段による反射赤外線の検知があると、負荷を遅延させてオフさせる制御が解除されるので、再び、負荷のオン状態を継続させることまたは即時にオフさせることができる。
【００４８】
請求項５の発明によれば、近接スイッチ装置は、負荷がオン状態のときに、赤外線送信手段および赤外線受信手段に指や手などの物体を連続的にかざす時間により、負荷を再び所定の保持時間に亘ってオンさせ、または即時にオフさせることができるので、負荷のオフ制御を遅動または即動に選択化することができる。
【００４９】
請求項６の発明によれば、近接スイッチ装置は、負荷がオン状態のときに、赤外線送信手段および赤外線受信手段に指や手などの物体を所定時間内で断続してかざす回数により、負荷を再び所定の保持時間に亘ってオンさせ、または即時にオフさせることができるので、負荷のオフ制御を遅動または即動に選択化することができる。
【００５０】
請求項７の発明によれば、近接スイッチ装置は、赤外線送信手段および赤外線受信手段に指や手などの物体を連続的にかざす時間により、負荷のオンオフの反転制御または負荷の消費電力の調整制御を選択させることができるので、負荷の制御を多様化することができる。
【００５１】
請求項８の発明によれば、近接スイッチ装置は、赤外線送信手段および赤外線受信手段に指や手などの物体を所定時間内で断続してかざす回数により、負荷のオンオフの反転制御または負荷の消費電力の調整制御を選択させることができるので、負荷の制御を多様化することができる。
【００５２】
請求項９の発明によれば、近接スイッチ装置に指や手などの物体をかざす時間または所定時間内でのかざす回数に応じて、照明負荷をオン状態から遅延させてオフさせ、または即時にオフさせ、あるいは調光点灯させることのできる照明制御システムを提供することができる。
【発明を実施するための最良の形態】
【００５３】
以下、本発明の一実施の形態について、図面を参照して説明する。まず、本発明の第１の実施形態について説明する。
【００５４】
図１ないし図５は、本発明の第１の実施形態を示し、図１は近接スイッチ装置であり、（ａ）は正面図、（ｂ）は側面図、図２は造営物に配設された状態の近接スイッチ装置の正面図、図３は近接スイッチ装置を用いた３線式の照明制御システムを示すブロック図、図４は近接スイッチ装置の負荷の制御を示すフロー図、図５は近接スイッチ装置による負荷のオンオンの反転制御の動作を示す説明図である。
【００５５】
図１において、近接スイッチ装置１は、略箱状に形成されて電子部品等を収納している器体２およびこの器体２を固定している取付枠３を有して形成されている。そして、器体２は、前面に長方形状のプレート４が配設され、このプレート４の中央部に赤外線の放射光および反射光が通過する透光プレート５および表示光を通過させる透光プレート６がそれぞれ配設されている。
【００５６】
近接スイッチ装置１は、壁などの造営物の内部に設けられているスイッチボックスに取付枠３がねじ止めされることにより、造営物に配設される。そして、図２に示すように、取付枠３を覆い隠すようにして化粧カバー７が取付けられている。
【００５７】
図３に、近接スイッチ装置１を用いた３線式の照明制御システム８を示す。照明制御システム８は、近接スイッチ装置１および照明装置９を有して構成されている。照明装置９は、負荷としての照明負荷１０および照明負荷１０を配設している器具本体１１を有して形成されている。照明負荷１０は、交流電源Ｖｓに並列的に接続され、近接スイッチ装置１によりオンオフ制御される。
【００５８】
そして、近接スイッチ装置１は、交流電源Ｖｓに接続されている電源部１２、各種制御を行う主制御部１３、赤外線発光ダイオード（以下、赤外ＬＥＤという。）１４を有する赤外ＬＥＤ発光部１５、赤外線を受光するフォトトランジスタ１６を有する赤外線受光検知部１７、前記透光プレート６および内部に配設された表示・ＳＷ操作部１８、照明負荷１０のオンオフを反転制御する負荷制御インターフェース（Ｉ／Ｆ）部１９を有して構成されている。
【００５９】
電源部１２は、交流電源Ｖｓの交流電圧を所定の直流電圧に変換して、回路駆動電源を生成する。主制御部１３は、電源部１２からの回路駆動電源により駆動するマイクロコンピュータを有してなり、後述の各種制御を行うように構成されている。そして、マイクロコンピュータは、ソフトウェアにおいて、後述の反射赤外線の検知時間を計時する計時手段１３ａおよび照明負荷１０を遅延させてオフ（消灯）させるための保持時間タイマー１３ｂを有している。
【００６０】
赤外ＬＥＤ発光部１５は、主制御部１３の制御に基づいて赤外ＬＥＤ１４から所定のタイミングで赤外線を放射させる。例えば、赤外ＬＥＤ１４から１００ｍｓの時間間隔で１０ｍｓの時間に亘り赤外線を放射させる。赤外ＬＥＤ１４から放射された赤外線は、透光プレート５から前方に出射される。赤外ＬＥＤ１４および赤外ＬＥＤ発光部１５は、赤外線送信手段を形成している。
【００６１】
赤外線受光検知部１７は、フォトトランジスタ１６が受光した赤外線のうち、赤外ＬＥＤ１４から放射された赤外線が物体により反射された反射赤外線を検知するように構成されている。この反射赤外線の検知は、例えば赤外ＬＥＤ１４から放射されている赤外線のタイミングと、フォトトランジスタ１６が受光した赤外線のタイミングが同期しているときに、フォトトランジスタ１６が受光した赤外線が赤外ＬＥＤ１４から放射された赤外線が物体により反射された反射赤外線であると判定する。物体は、通常、透光プレート５の前方に近接してかざされた人体の手や指などである。フォトトランジスタ１６が受光する赤外線は、透光プレート５から入光する。フォトトランジスタ１６および赤外線受光検知部１７は、前記反射赤外線を検知する赤外線受信手段を形成している。また、透光プレート５に近接する指や手などの人体の存在または動きを検知する検知手段を形成している。
【００６２】
そして、赤外線受光検知部１７が検知した前記反射赤外線は、主制御部１３の計時手段（タイマー）１３ａにより計時される。計時手段１３ａは、フォトトランジスタ１６が前記所定のタイミングで連続的に前記反射赤外線を受光している検知時間を計時する。そして、透光プレート５の前方に手や指などがかざされなくなって、フォトトランジスタ１６での前記反射赤外線の連続の受光が途切れると、前記検知時間の計時を終了する。そして、再び赤外線受光検知部１７が前記反射赤外線を検知すると、前段の検知時間をリセットして、連続する前記反射赤外線の検知時間を再計時する。すなわち、計時手段（タイマー）１３ａは、積算手段を構成しており、前記検知手段が連続的に指や手などの人体の存在または動きを検知している検知時間を計時する。
【００６３】
表示・ＳＷ操作部１８は、主制御部１３による制御状態を表示すると共に、ユーザーが操作入力する不図示のスイッチを有している。また、表示において、照明負荷１０のオンオフ制御に応じて、透光プレート６を通過する表示色や透過光の強度などを変化させている。
【００６４】
負荷制御Ｉ／Ｆ部１９は、例えばリレーを備え、主制御部１３の制御により照明負荷１０のオンオフを反転制御する。すなわち、主制御部１３は、赤外受光検知部１７の前記反射赤外線の検知および検知時間に応じて、照明負荷１０のオンオフが反転制御するように負荷制御Ｉ／Ｆ部１９を制御する。主制御部１３および負荷制御Ｉ／Ｆ部１９は、前記検知時間に応じて照明負荷１０の動作を制御する負荷制御手段を形成している。
【００６５】
次に、主制御部１３による制御について、図４および図５を用いて説明する。
【００６６】
照明負荷１０がオフ状態のときに、近接スイッチ装置１の透光プレート５の前方に手や指などの物体が近接してかざされて（ＯＮ操作）、赤外受光検知部１７が赤外ＬＥＤ１４から放射された赤外線の物体からの反射赤外線を検知すると、主制御部１３は、計時手段１３ａが計時する前記反射赤外線の検知時間に係らず、照明負荷１０を即時にオンさせるように負荷制御Ｉ／Ｆ部１９を制御する。これにより、照明負荷１０は、図５（ａ）〜図５（ｃ）に示すように、即時にオン（点灯）する。
【００６７】
そして、照明負荷１０がオン状態（点灯状態）のときに、近接スイッチ装置１の透光プレート５の前方に手や指などの物体が近接してかざされて（ＯＦＦ操作）、赤外受光検知部１７が赤外ＬＥＤ１４から放射された赤外線の物体からの反射赤外線を検知すると、主制御部１３は、保持時間タイマー１３ｂを動作させる。保持時間タイマー１３ｂが所定の遅動時間Ｔ１例えば３分を計時してタイムアップすると、主制御部１３は、図５（ａ）に示すように、負荷制御Ｉ／Ｆ部１９を制御して、照明負荷１０をオフ（消灯）させる。すなわち、照明負荷１０は、消灯（ＯＦＦ）操作されると、遅動時間Ｔ１（例えば３分）の経過後に点灯状態から消灯する。
【００６８】
そして、保持時間タイマー１３ｂが動作している遅動動作の期間に亘って、赤外受光検知部１７が前記反射赤外線を検知しているか否かの判定が行われ（図４、ステップＳ１）、前記反射赤外線が検知されていないと、保持時間タイマー１３ｂの計時を継続させる（ステップＳ２）。
【００６９】
保持時間タイマー１３ｂの計時は、赤外受光検知部１７で前記反射赤外線が検知されるまで継続される（ステップＳ３）。そして、保持時間タイマー１３ｂが所定の遅動時間Ｔ１（例えば３分）を計時してタイムアップすると、主制御部１３は、図５（ａ）に示すように、負荷制御Ｉ／Ｆ部１９を制御して、照明負荷１０をオフ（消灯）させる（ステップＳ４）。すなわち、点灯している照明負荷１０は、消灯（ＯＦＦ）操作されると、遅動時間Ｔ１（例えば３分）の経過後に消灯する。
【００７０】
そして、保持時間タイマー１３ｂの遅動動作（照明負荷１０を遅延させてオフさせている期間）中に赤外受光検知部１７により前記反射赤外線が検知されると（ステップＳ１）、主制御部１３は、保持時間タイマー１３ｂの計時を停止してリセットする（ステップＳ５）。これにより、負荷制御Ｉ／Ｆ部１９に対して照明負荷１０を遅延させてオフ（消灯）させる制御が解除される。この後、主制御部１３は、計時手段１３ａが計時した連続する前記反射赤外線の検知時間の計測処理を実行する（ステップＳ６）。そして、当該検知時間が設定された設定時間Ｔ２（例えば２秒）内であるか、設定時間Ｔ２を超えているかの判定が行われる（ステップＳ７）。
【００７１】
そして、前記検知時間が設定時間Ｔ２を超えていると、主制御部１３は、図５（ｂ）に示すように、負荷制御Ｉ／Ｆ部１９を制御して、照明負荷１０を即時にオフ（消灯）させる（ステップＳ４）。すなわち、照明負荷１０は、保持時間タイマー１３ｂの遅動動作中に、設定時間Ｔ２を超える赤外反射操作（即断操作）が行われると、点灯状態から即時に消灯する。
【００７２】
また、ステップＳ７において、前記検知時間が設定時間Ｔ２内であると、主制御部１３は、保持時間タイマー１３ｂの停止を継続させる。これにより、図５（ｃ）の中段に示すように、照明負荷１０は、オン状態（点灯状態）を継続する。このように、照明負荷１０は、照明負荷１０を遅延させてオフ（消灯）させる期間中に、設定時間Ｔ２内の赤外反射操作（連続ＯＮ操作）が行われると、点灯状態を継続する。
【００７３】
また、主制御部１３は、照明負荷１０がオン状態（点灯状態）のときに、計時手段１３ａにより計時された前記検知時間が設定時間Ｔ２（例えば２秒）内であるときには、保持時間タイマー１３ｂを動作させて、照明負荷１０を遅延させてオフ（消灯）させるように負荷制御Ｉ／Ｆ部１９を制御する。すなわち、照明負荷１０は、図５（ｃ）の後段に示すように、遅動時間Ｔ１（例えば３分）の経過後に消灯する。
【００７４】
さらに、主制御部１３は、照明負荷１０がオン状態（点灯状態）のときに、計時手段１３ａにより計時された前記検知時間が設定時間Ｔ２を超えているときには、照明負荷１０を即時にオフ（消灯）させるように負荷制御Ｉ／Ｆ部１９を制御する。すなわち、照明負荷１０は、即時に消灯する。
【００７５】
上述したように、近接スイッチ装置１は、透光プレート５の前方に手や指などの物体が近接してかざされ、赤外受光検知部１７により物体から反射された反射赤外線が検知される毎に照明負荷１０のオンオフを反転制御する。そして、照明負荷１０がオン状態（点灯状態）のときに、主制御部１３および負荷制御Ｉ／Ｆ部１９（負荷制御手段）は、計時手段１３ａにより計時された連続する前記反射赤外線の検知時間に応じて照明負荷１０を遅延させてオフ（消灯）させ、または照明負荷１０を即時にオフ（消灯）させるように制御する。すなわち、近接スイッチ装置１は、透光プレート５の前方に手や指などの物体をかざす時間により、連続する反射赤外線の検知時間が変化し、当該検知時間に応じて照明負荷１０を選択的に遅延させてオフ（消灯）させ、または即時にオフ（消灯）させることができるように形成されている。したがって、近接スイッチ装置１は、照明負荷１０のオフ制御を多様化することができので、トイレや室内の照明制御に適宜用いることができる。
【００７６】
次に、本発明の第２の実施形態について説明する。
【００７７】
図６および図７は、本発明の第２の実施形態を示し、図６は近接スイッチ装置の負荷の制御を示すフロー図、図７は近接スイッチ装置による負荷のオンオンの反転制御の動作を示す説明図である。
【００７８】
本実施形態の近接スイッチ装置は、図１ないし図３に示す近接スイッチ装置１と同様に構成されており、主制御部１３の制御が異なる。以下、主制御部１３による制御について、図６および図７を用いて説明する。
【００７９】
照明負荷１０がオフ状態のときに、透光プレート５の前方に手や指などの物体が近接してかざされて（ＯＮ操作）、赤外受光検知部１７が赤外ＬＥＤ１４から放射された赤外線の物体から反射された反射赤外線を検知すると、主制御部１３は、計時手段１３ａが計時する前記反射赤外線の検知時間に係らず、照明負荷１０を即時にオンさせるように負荷制御Ｉ／Ｆ部１９を制御する。これにより、照明負荷１０は、図７（ａ）〜図７（ｃ）に示すように、即時にオン（点灯）する。
【００８０】
そして、主制御部１３は、照明負荷１０がオン制御されると同時に、保持時間タイマー１３ｂを動作させる。保持時間タイマー１３ｂが所定の保持時間Ｔ３例えば３分を計時してタイムアップすると、主制御部１３は、図７（ａ）に示すように、負荷制御Ｉ／Ｆ部１９を制御して、照明負荷１０をオフ（消灯）させる。すなわち、赤外受光検知部１７により前記反射赤外線が検知されたときに、照明負荷１０は、所定の保持時間Ｔ３（例えば３分）に亘ってオン制御（点灯制御）される。主制御部１３および負荷制御Ｉ／Ｆ部１９は、赤外受光検知部１７により前記反射赤外線が検知されたときに所定の保持時間Ｔ３（例えば３分）に亘って照明負荷１０をオン制御する負荷制御手段を形成している。
【００８１】
そして、保持時間タイマー１３ｂが動作している保持時間動作の期間に亘って、赤外受光検知部１７が前記反射赤外線を検知しているか否かの判定が行われ（図６、ステップＳ１１）、前記反射赤外線が検知されていないと、保持時間タイマー１３ｂの計時を継続させる（ステップＳ１２）。保持時間タイマー１３ｂの計時は、赤外受光検知部１７で前記反射赤外線が検知されるまで、または所定の保持時間Ｔ３（３分）を計時するまで継続される（ステップＳ１３）。
【００８２】
ステップＳ１３において、保持時間タイマー１３ｂが所定の保持時間Ｔ３（３分）を計時してタイムアップすると、主制御部１３は、図７（ａ）に示すように、負荷制御Ｉ／Ｆ部１９を制御して、照明負荷１０をオフ（消灯）させる（ステップＳ１４）。すなわち、照明負荷１０は、点灯（ＯＮ）操作されると、所定の保持時間Ｔ３（３分）に亘って点灯した後、自動的に消灯する。
【００８３】
そして、保持時間タイマー１３ｂの保持時間動作中に赤外受光検知部１７により前記反射赤外線が検知されると（ステップＳ１１）、主制御部１３は、計時手段１３ａが計時した連続する前記反射赤外線の検知時間の計測処理を実行する（ステップＳ１５）。そして、当該検知時間が設定された設定時間Ｔ２（例えば２秒）内であるか、設定時間Ｔ２を超えているかの判定が行われる（ステップＳ１６）。
【００８４】
そして、前記検知時間が設定時間Ｔ２を超えていると、主制御部１３は、図７（ｂ）に示すように、負荷制御Ｉ／Ｆ部１９を制御して、照明負荷１０を即時にオフ（消灯）させる（ステップＳ１４）。すなわち、照明負荷１０は、保持時間タイマー１３ｂの保持時間動作中に、透光プレート５の前方に手や指などの物体が近接する設定時間Ｔ２を超える赤外反射操作（即断操作）が行われると、点灯状態から即時に消灯する。
【００８５】
また、ステップＳ１６において、前記検知時間が設定時間Ｔ２内であると、主制御部１３は、保持時間タイマー１３ｂの計時をリセットさせて、再計時させる（ステップＳ１７）。すなわち、赤外受光検知部１７により前記反射赤外線が検知された検知時点より、再び所定の保持時間Ｔ３（３分）に亘って照明負荷１０をオン制御（点灯制御）させる。照明負荷１０は、図７（ｃ）に示すように、当該検知時点より、さらに所定の保持時間Ｔ３（３分）に亘って点灯状態を継続し、その後、自動的に消灯する。このように、照明負荷１０は、保持時間タイマー１３ｂが所定の保持時間Ｔ３（３分）を計時している保持時間動作中に、設定時間Ｔ２内の赤外反射操作（リスタート操作）が行われると、さらに所定の保持時間Ｔ３（３分）に亘って点灯状態を継続する。
【００８６】
上述したように、本実施形態の近接スイッチ装置は、透光プレート５の前方に手や指などの物体をかざして、赤外受光検知部１７により物体から反射された反射赤外線が検知されたときに所定の保持時間Ｔ３（３分）に亘って照明負荷１０をオン制御（点灯制御）する。そして、照明負荷１０がオン状態（点灯状態）のときに赤外受光検知部１７により前記反射赤外線が検知されたとき、主制御部１３および負荷制御Ｉ／Ｆ部１９（負荷制御手段）は、計時手段１３ａにより計時された連続する前記反射赤外線の検知時間に応じて当該検知時点より再び前記保持時間Ｔ３（３分）に亘って照明負荷１０をオン制御（点灯制御）させ、または照明負荷１０を即時にオフ（消灯）させるように制御する。すなわち、近接スイッチ装置は、透光プレート５の前方に手や指などの物体をかざす時間により、連続する反射赤外線の検知時間が変化し、当該検知時間に応じて照明負荷１０の点灯状態（オン状態）から消灯（オフ）への制御が選択的に遅動または即動される。したがって、照明負荷１０のオフ制御が多様化されるので、近接スイッチ装置をトイレや室内の照明制御に適宜用いることができる。
【００８７】
次に、本発明の第３の実施形態について説明する。
【００８８】
図８ないし図１０は、本発明の第３の実施形態を示し、図８は近接スイッチ装置を用いた２線式の照明制御システムのブロック図、図９は近接スイッチ装置の負荷の制御を示すフロー図、図１０は近接スイッチ装置による負荷の動作を示す説明図である。なお、図３と同一部分には同一符号を付して説明は省略する。
【００８９】
図８において、近接スイッチ装置２０を用いた２線式の照明制御システム２１を示す。照明制御システム２１は、近接スイッチ装置２０および照明装置９を有して構成されている。照明負荷１０は、交流電源Ｖｓに直列的に接続され、近接スイッチ装置２０によりオンオフ制御または調光制御される。
【００９０】
近接スイッチ装置２０は、負荷制御インターフェース（Ｉ／Ｆ）部２２が照明負荷１０を介して交流電源Ｖｓに直列的に接続されていると共に、例えば３端子サイリスタＳＣＲ１を具備している。負荷制御Ｉ／Ｆ部２２は、主制御部１３の制御により、照明負荷１０のオンオフを反転制御させ、または、交流電源Ｖｓの交流電圧を位相制御して照明負荷１０を調光点灯させる。以下、図３に示す近接スイッチ装置１と同様に構成されている。なお、照明負荷１０を調光点灯する制御は、照明負荷１０の消費電力を調整制御することを示している。
【００９１】
主制御部１３は、赤外受光検知部１７の反射赤外線の検知（検知時間）に応じて、照明負荷１０のオンオフが反転制御するように、または、照明負荷１０が調光点灯するように負荷制御Ｉ／Ｆ部２２を制御する。主制御部１３および負荷制御Ｉ／Ｆ部２２は、計時手段１３ａにより計時された検知時間に応じて照明負荷１０のオンオフの反転制御または照明負荷１０を調光制御（照明負荷１０の消費電力を調整制御）する負荷制御手段を形成している。
【００９２】
次に、主制御部１３による制御について、図９および図１０を用いて説明する。
【００９３】
照明負荷１０がオフ状態のときに、透光プレート５の前方に手や指などの物体が近接してかざされて（ＯＮ操作）、赤外受光検知部１７が赤外ＬＥＤ１４から放射された赤外線の物体からの反射赤外線を検知すると、主制御部１３は、計時手段１３ａが計時する前記反射赤外線の検知時間に係らず、照明負荷１０を即時にオンさせるように負荷制御Ｉ／Ｆ部２２を制御する。これにより、照明負荷１０は、図１０（ａ）および図１０（ｂ）に示すように、即時にオン（点灯）する。
【００９４】
そして、再び、近接スイッチ装置２０の透光プレート５の前方に手や指などの物体が近接してかざされると、赤外受光検知部１７は、赤外ＬＥＤ１４から放射された赤外線の物体からの反射赤外線を検知し、計時手段１３ａは、連続する前記反射赤外線の検知時間を再計時する。そして、常時、赤外受光検知部１７が前記反射赤外線を検知しているか否かの判定が行われる（ステップＳ３１）。
【００９５】
赤外受光検知部１７により前記反射赤外線が検知されると、主制御部１３は、計時手段１３ａが計時した連続する前記反射赤外線の検知時間の計測処理を実行する（ステップＳ３２）。そして、当該検知時間が設定時間Ｔ２（例えば２秒）内であるか、設定時間Ｔ２を超えているかの判定が行われる（ステップＳ３３）。
【００９６】
そして、前記検知時間が設定時間Ｔ２を超えていると、主制御部１３は、図１０（ａ）に示すように、負荷制御Ｉ／Ｆ部２２を制御して、照明負荷１０を全光点灯から調光点灯させる（ステップＳ３４）。すなわち、照明負荷１０は、全光点灯しているときに、設定時間Ｔ２を超える赤外反射操作（調光操作）が行われると、全光点灯から即時に調光点灯する。
【００９７】
また、前記検知時間が設定時間Ｔ２内であると、主制御部１３は、図１０（ｂ）に示すように、負荷制御Ｉ／Ｆ部１９を制御して、照明負荷１０の動作状態を反転制御させる（ステップＳ３５）。すなわち、照明負荷１０は、点灯状態から消灯制御される。
【００９８】
上述したように、近接スイッチ装置２０は、透光プレート５の前方に手や指などの物体をかざす時間により、連続する反射赤外線の検知時間が変化し、当該検知時間に応じて照明負荷１０を選択的にオンオフ制御（点消灯制御）、または調光点灯制御（消費電力の調整制御）させることができる。したがって、近接スイッチ装置２０は、照明負荷１０の制御を多様化することができので、トイレや室内などの各種照明制御に用いることができる。
【００９９】
なお、消費電力の調整制御（照明負荷１０の調光点灯制御など）は、連続する前記反射赤外線の検知時間の長さに従って徐々に変化（フェード）させるようにしてもよい。
【０１００】
次に、本発明の第４の実施形態について説明する。
【０１０１】
図１１は、本発明の第４の実施形態を示す近接スイッチ装置のブロック図、図１２は、同じく他の近接スイッチ装置のブロック図である。なお、図３および図８と同一部分には同一符号を付して説明は省略する。
【０１０２】
図１１に示す近接スイッチ装置２３は、図３に示す照明制御システム８の近接スイッチ装置１において、計時手段１３ａに代えて、計数手段（カウンタ）１３ｃを有して主制御部２４が構成されている。また、図１２に示す近接スイッチ装置２５は、図８に示す照明制御システム２１の近接スイッチ装置２０において、主制御部１３に代えて主制御部２４を有して構成されている。
【０１０３】
計数手段（カウンタ）１３ｃは、積算手段を構成し、赤外受光検知部１７が検知する反射赤外線の所定時間（例えば３秒）内の断続する検知回数を計数（カウント）する。すなわち、赤外受光検知部１７（検知手段）が指や手などの人体の存在または動きを断続して検知している検知回数を計数する。そして、負荷制御手段としての主制御部２４および負荷制御Ｉ／Ｆ部１９（または負荷制御Ｉ／Ｆ部２２）は、前記検知回数に応じて照明負荷１０を制御する。すなわち、上記の第１の実施形態において、照明負荷１０がオン状態（点灯状態）のときに前記検知回数に応じて、照明負荷１０を遅延させてオフ（消灯）させ、または照明負荷１０を即時にオフ（消灯）させる。例えば、前記検知回数が設定された所定回数例えば２回以下のとき、照明負荷１０は遅延してオフ（消灯）し、前記検知回数が所定回数（２回）を超えるとき、照明負荷１０は即時にオフ（消灯）する。
【０１０４】
また、上記の第２の実施形態において、照明負荷１０がオン状態（点灯状態）のときに赤外受光検知部１７により反射赤外線が検知されたとき、主制御部２４および負荷制御Ｉ／Ｆ部１９は、前記検知回数に応じて、当該検知時点より再び所定の保持時間Ｔ３（例えば３分）に亘って照明負荷１０をオン制御（点灯制御）させ、または照明負荷１０を即時にオフ（消灯）させる。例えば、前記検知回数が所定回数（２回）以下のとき、照明負荷１０は、赤外受光検知部１７により反射赤外線が検知された時点より再び所定の保持時間Ｔ３（例えば３分）に亘ってオン（点灯）した後にオフ（消灯）し、前記検知回数が所定回数（２回）を超えるとき、照明負荷１０は即時にオフ（消灯）する。
【０１０５】
また、上記の第３の実施形態において、主制御部２４および負荷制御Ｉ／Ｆ部２２は、前記検知回数に応じて、照明負荷１０のオンオフを反転制御させ、または照明負荷１０を調光制御（消費電力の調整制御）させる。例えば、前記検知回数が所定回数（２回）以下のとき、照明負荷１０は、オン状態（点灯状態）のときはオフ（消灯）され、オフ状態（消灯状態）のときはオン（点灯）され、前記検知回数が所定回数（２回）を超えるとき、照明負荷１０は調光点灯（例えば５０％点灯）する。
【０１０６】
上述したように、近接スイッチ装置２３，２５は、計数手段１３ｃにより計数された検知回数に応じて、照明負荷１０のオフ制御（消灯制御）が多様化される。すなわち、透光プレート５に近接して指や手などの人体を所定時間（例えば３秒）内で断続してかざす回数により、照明負荷１０のオフ制御（消灯制御）を多様化することができる。
【０１０７】
なお、近接スイッチ装置２３，２５は、計数手段１３ｃおよび計時手段１３ａの両方を備え、検知回数および検知時間の両方に応じて照明負荷１０を制御するようにしてもよい。
【図面の簡単な説明】
【０１０８】
【図１】本発明の第１の実施形態を示す近接スイッチ装置であり、（ａ）は正面図、（ｂ）は側面図。
【図２】同じく、造営物に配設された状態の近接スイッチ装置の正面図。
【図３】同じく、近接スイッチ装置を用いた３線式の照明制御システムを示すブロック図。
【図４】同じく、近接スイッチ装置の負荷の制御を示すフロー図。
【図５】同じく、近接スイッチ装置による負荷のオンオンの反転制御の動作を示す説明図。
【図６】本発明の第２の実施形態を示す近接スイッチ装置の負荷の制御を示すフロー図。
【図７】同じく、近接スイッチ装置による負荷のオンオンの反転制御の動作を示す説明図。
【図８】本発明の第３の実施形態を示す近接スイッチ装置を用いた２線式の照明制御システムのブロック図。
【図９】同じく、近接スイッチ装置の負荷の制御を示すフロー図。
【図１０】同じく、近接スイッチ装置による負荷の動作を示す説明図。
【図１１】本発明の第４の実施形態を示す近接スイッチ装置のブロック図。
【図１２】同じく、他の近接スイッチ装置のブロック図。
【符号の説明】
【０１０９】
１，２０，２３，２５…近接スイッチ装置
８，２１…照明制御システム
９…照明装置
１３，２４…負荷制御手段を構成する主制御部
１３ａ…計時手段（タイマー）
１３ｃ…計数手段（カウンター）
１５…赤外線送信手段としての赤外ＬＥＤ発光部
１７…赤外線受信手段としての赤外受光検出部
１９，２２…負荷制御手段を構成する負荷制御インターフェース（Ｉ／Ｆ）部
【図１】
2007048630.tif 000003
【図２】
2007048630.tif 000004
【図３】
2007048630.tif 000005
【図４】
2007048630.tif 000006
【図５】
2007048630.tif 000007
【図６】
2007048630.tif 000008
【図７】
2007048630.tif 000009
【図８】
2007048630.tif 000010
【図９】
2007048630.tif 000011
【図１０】
2007048630.tif 000012
【図１１】
2007048630.tif 000013
【図１２】
2007048630.tif 000014